(57)【要約】【課題】  利用者が不安定であっても、より変化に富んだ所望の撮影ポーズを容易に維持できるようにする。【解決手段】  利用者が撮影ポーズを維持する際の支えとなる把持可能な手摺り４１を装置本体３の正面ほぼ中央に設ける。このとき、手摺り４１をカメラ１５の画角外に配置すると共に、手摺り４１の影ができあがった写真に写り込むことがなく、かつ、各照明部１９ａ，１９ｂ，２１ａ，２１ｂ，２３，２５による照明環境を害することのない位置に配設する。【選択図】  図１
2006139242.tif 000002
【特許請求の範囲】
【請求項１】
硬貨投入口への所定代金の硬貨投入により起動し、撮影手段により被写体を撮影してその被写体画像を表示手段に表示し、入力手段により入力される文字や図形等の編集画像を、編集手段により前記表示手段に表示される前記被写体画像に重畳描画して編集を施し、印刷手段により編集済みの被写体画像をシール台紙に印刷して写真としてシール取出口へ排出する写真シール払出装置において、
装置本体に設けられ前記被写体が撮影ポーズを維持する際の支えとなる把持可能な手摺りを備えていることを特徴とする写真シール払出装置。
【請求項２】
前記手摺りは、前記撮影手段の画角外に配置されていることを特徴とする請求項１に記載の写真シール払出装置。
【請求項３】
前記被写体の撮影ポーズの選択中、及び、前記撮影手段による前記被写体の撮影時に、前記被写体を照明する照明手段をさらに備え、
前記手摺りの有無で、前記照明手段による前記被写体の照明環境が変わらないことを特徴とする請求項1または２に記載の写真シール払出装置。
【請求項４】
前記装置本体の正面位置に前記撮影手段が配設され、前記装置本体の正面であって前記撮影手段の下方位置に前記手摺りが配設され固定されていることを特徴とする請求項１ないし３のいずれかに記載の写真シール払出装置。
【請求項５】
前記手摺りが、高さ位置を調整可能に配設されていることを特徴とする請求項１ないし４のいずれかに記載の写真シール払出装置。
【請求項６】
前記撮影手段の画角外に配置され前記被写体が撮影ポーズを維持する際の支えとなる腰かけ・跨り可能なスタンド体をさらに備えていることを特徴とする請求項１ないし５のいずれかに記載の写真シール払出装置。
【請求項７】
硬貨投入口への所定代金の硬貨投入により起動し、撮影手段により被写体を撮影してその被写体画像を表示手段に表示し、入力手段により入力される文字や図形等の編集画像を、編集手段により前記表示手段に表示される前記被写体画像に重畳描画して編集を施し、印刷手段により編集済みの被写体画像をシール台紙に印刷して写真としてシール取出口へ排出する写真シール払出装置において、
前記撮影手段の画角外に配置され前記被写体が撮影ポーズを維持する際の支えとなる腰かけ・跨り可能なスタンド体を備えていることを特徴とする写真シール払出装置。
【請求項８】
請求項６または７に記載の写真シール払出装置において、
前記スタンド体が、床面または前記装置本体に固定された支持部材と、該支持部材の上端に支持された腰かけ・跨り用のシート部材とを備えていることを特徴とする写真シール払出装置。
【請求項９】
前記スタンド体の前記シート部材が、前記撮影手段近くの下方位置に前記撮影手段に対する遠近方向に平行に設置されて前記撮影手段の画角外に配置されていることを特徴とする請求項８に記載の写真シール払出装置。
【請求項１０】
前記スタンド体の前記シート部材が、高さ位置及び前後左右位置を調整可能に支持されていることを特徴とする請求項８または９に記載の写真シール払出装置。
【発明の詳細な説明】
【技術分野】
【０００１】
この発明は、硬貨投入口への硬貨投入により起動し、被写体を撮影して得られる被写体画像に必要な編集を施して印刷手段によりシール台紙に印刷する写真シール払出装置に関するものである。
【背景技術】
【０００２】
従来、１人あるいは友人同士の複数人で撮影した写真に、好みの文字や図形等を書き込んで編集した合成画像をシール台紙に印刷して払い出す写真シール払出装置が、遊戯場を始めとする各所に設置されている。
【０００３】
この種の装置は、硬貨投入口への所定代金の硬貨投入により起動し、例えばデジタルカメラから成る撮影手段により被写体である利用者を撮影して、その利用者の写真をディスプレイ画面に表示し、利用者が所望の文字や図形を書き込む（以下では、かかる書き込みを「落書き」とも称する）ために、写真が表示される表示画面（モニタ）に対して落書き用のタッチペンを設け、タッチペンにより書き込まれる文字や図形等の編集画像を、ディスプレイ画面に表示される利用者の被写体画像に重畳描画して編集を施し、プリンタにより編集済みの被写体画像をシール台紙に印刷し写真としてシール取出口へ排出するようになっている。
【０００４】
ところで、従来の装置では、利用者が不安定な撮影ポーズをとった場合には、体勢を支えるものがないために撮影が終了するまでそのポーズを保持することができず、利用者が望む様々な撮影ポーズでの撮影を実現することができないことがあった。
【０００５】
そこで、利用者が所望の体勢を保持する補助として、アームレストや椅子などを装備することが考えられている（例えば、特許文献１参照）。
【０００６】
【特許文献１】特開２００３−３３１３５７号公報（段落[００５０]、図４）
【発明の開示】
【発明が解決しようとする課題】
【０００７】
上記した公開特許公報は、撮影ポーズをとる際の支えとして設けられたものはなく、利用者が撮影した写真に対して所望の編集作業を行うときの身体の安定確保のために設けられたものであるが、撮影ポーズをとる際にも使用できる。
【０００８】
しかしながら、この種のアームレストは単に身体の一部をあずけて安定させるだけであって、アームレストをしっかり掴むことができないことから、変化に富んだ撮影ポーズをとるために不安定な体勢を維持するには不十分である。
【０００９】
また、椅子の場合、例えば自動証明写真撮影機のように撮影手段から離れて椅子が設置されるため、撮影手段の画角内に椅子が入って撮影の邪魔になるおそれがある。椅子のほか電車の吊革と同様の補助手段を装備することも考えられるが、このような吊革は上方から吊り下がることから、やはり撮影手段の画角内に入るという問題が生じるおそれがある。さらに、このような補助手段を設けず、装置の壁面を支えとして利用することもあり得るが、装置の壁面は単に寄りかかる程度に過ぎず、利用者がしっかり壁面を掴んで体勢を支えることは不可能であるため、利用者が不安定であっても所望の撮影ポーズをとる際の補助としては不十分である。
【００１０】
そこで、本発明は、利用者が不安定であっても、より変化に富んだ所望の撮影ポーズを容易に維持できるようにすることを目的とする。
【課題を解決するための手段】
【００１１】
上記した課題を解決するために、請求項１に記載の写真シール払出装置は、硬貨投入口への所定代金の硬貨投入により起動し、撮影手段により被写体を撮影してその被写体画像を表示手段に表示し、入力手段により入力される文字や図形等の編集画像を、編集手段により前記表示手段に表示される前記被写体画像に重畳描画して編集を施し、印刷手段により編集済みの被写体画像をシール台紙に印刷して写真としてシール取出口へ排出する写真シール払出装置において、装置本体に設けられ前記被写体が撮影ポーズを維持する際の支えとなる把持可能な手摺りを備えていることを特徴としている。
【００１２】
また、請求項２に記載の写真シール払出装置では、前記手摺りは、前記撮影手段の画角外に配置されていることを特徴としている。
【００１３】
また、請求項３に記載の写真シール払出装置は、前記被写体の撮影ポーズの選択中、及び、前記撮影手段による前記被写体の撮影時に、前記被写体を照明する照明手段をさらに備え、前記手摺りの有無で、前記照明手段による前記被写体の照明環境が変わらないことを特徴としている。
【００１４】
また、請求項４に記載の写真シール払出装置は、前記装置本体の正面位置に前記撮影手段が配設され、前記装置本体の正面であって前記撮影手段の下方位置に前記手摺りが配設され固定されていることを特徴としている。
【００１５】
また、請求項５に記載の写真シール払出装置は、前記手摺りが、高さ位置を調整可能に配設されていることを特徴としている。
【００１６】
また、請求項６に記載の写真シール払出装置は、請求項１ないし５のいずれかに記載の写真シール払出装置において、前記撮影手段の画角外に配置され前記被写体が撮影ポーズを維持する際の支えとなる腰かけ・跨り可能なスタンド体をさらに備えていることを特徴としている。
【００１７】
また、請求項７に記載の写真シール払出装置は、硬貨投入口への所定代金の硬貨投入により起動し、撮影手段により被写体を撮影してその被写体画像を表示手段に表示し、入力手段により入力される文字や図形等の編集画像を、編集手段により前記表示手段に表示される前記被写体画像に重畳描画して編集を施し、印刷手段により編集済みの被写体画像をシール台紙に印刷して写真としてシール取出口へ排出する写真シール払出装置において、前記撮影手段の画角外に配置され前記被写体が撮影ポーズを維持する際の支えとなる腰かけ・跨り可能なスタンド体を備えていることを特徴としている。この場合、手摺りはなくスタンド体のみを備えている。
【００１８】
また、請求項８に記載の写真シール払出装置は、前記スタンド体が、床面または前記装置本体に固定された支持部材と、該支持部材の上端に支持された腰かけ・跨り用のシート部材とを備えていることを特徴としている。
【００１９】
また、請求項９に記載の写真シール払出装置は、前記スタンド体の前記シート部材が、前記撮影手段近くの下方位置に前記撮影手段に対する遠近方向に平行に設置されて前記撮影手段の画角外に配置されていることを特徴としている。
【００２０】
また、請求項１０に記載の写真シール払出装置は、前記スタンド体の前記シート部材が、高さ位置及び前後左右位置を調整可能に支持されていることを特徴としている。
【発明の効果】
【００２１】
請求項１に記載の発明によれば、把持可能な手摺りを備えているため、利用者は、この手摺りを掴むことによって不安定であっても変化に富んだ所望の撮影ポーズを維持することができる。
【００２２】
請求項２に記載の発明によれば、手摺りは単なる棒状のものでよいため、撮影手段の画角外に設置することは容易であり、画角外に配置することで手摺りが撮影の邪魔になることはなく、利用者が望む仕上がりの写真を撮影することができる。
【００２３】
請求項３に記載の発明によれば、手摺りは単なる棒状のものでよいことから、照明手段による影が発生しない位置に設置することは十分可能であり、手摺りの有無で、前記照明手段による前記被写体の照明環境が変わらないようにすることで、手摺りの影が写り込むことのない良好な写真を提供することができる。
【００２４】
請求項４に記載の発明によれば、装置本体の正面であって撮影手段の下方位置に手摺りが固定されているため、利用者が撮影手段に向かってポーズをとる際に手摺りを掴み易く、しかも不安定な体勢を容易に維持することが可能になる。
【００２５】
請求項５に記載の発明によれば、手摺りが高さ位置を調整可能に配設されていることから、利用者は自分の背丈に応じて手摺りの高さを調整することで、利用者は不安定であっても所望の撮影ポーズを容易に維持することができる。
【００２６】
請求項６に記載の発明によれば、上記した手摺りに加え、腰かけ・跨り可能なスタンド体を設けたため、利用者はスタンド体を利用することでより変化にとんだ撮影ポーズをとることができる。例えば、手摺りにつかまりながらスタンド体に腰かけるだけでなく、スタンド体に跨ったり膝をついた姿勢をとることもでき、立ち姿だけの撮影ポーズと比べると予想もつかないポーズをとりつつ撮影することができる。ここで、スタンド体が撮影手段の画角外に配置されているため、スタンド体が写り込むなど撮影の邪魔になることはない。
【００２７】
請求項７に記載の発明によれば、スタンド体に腰かけるだけでなく、スタンド体に跨ったり膝をついた姿勢をとることもでき、立ち姿だけの撮影ポーズと比べると予想もつかないポーズを取りつつ撮影することができ、利用者は不安定であってもより変化に富んだ撮影ポーズを容易に維持することができる。
【００２８】
請求項８に記載の発明によれば、スタンド体が固定された支持部材と腰かけ・跨り用のシート部材とを備えるため、スタンド体が位置ずれすることもなく、利用者は不安定な姿勢を容易に維持することができる。
【００２９】
請求項９に記載の発明によれば、シート部材が撮影手段近くの下方位置に撮影手段に対する遠近方向に平行に設置されているため、スタンド体を撮影手段の画角外に配置することができてスタンド体が撮影の邪魔になることを防止でき、利用者が望む仕上がりの写真を撮影することができる。
【００３０】
請求項１０に記載の発明によれば、スタンド体のシート部材が高さ位置及び前後左右位置を調整可能に配設されていることから、利用者は自分の背丈やとりたいポーズに応じてシート部材の高さや前後左右位置を調整することで、利用者は不安定であってもより変化に富んだ所望の撮影ポーズを容易に維持することができる。
【発明を実施するための最良の形態】
【００３１】
（第１実施形態）
この発明の第１実施形態について図１ないし図４を参照して説明する。但し、図１は装置の正面図、図２は装置を後方から見た斜視図、図３及び図４は使用状態の説明用の斜視図である。
【００３２】
図１及び図２に示すように、本実施形態における写真シール払出し装置１は、装置本体３と装置本体１の前方に配設された横断面コ字状の背景幕部５とにより構成されており、背景幕部５の上部は矩形枠状の連結部材７等により装置本体３の上部と連結され、この背景幕部５と装置本体３との間の左右の開放部分は、内部への出入口としてカーテン（図示せず）により開閉自在に閉塞され、装置本体３と背景幕部５との間に複数人の利用者を収容可能な撮影空間１１が形成されている。
【００３３】
また、特に図２に示すように、連結部材７は装置本体３の後方にまで伸び、この連結部材７の延伸部分にカーテン（図示せず）が支持され、装置本体３の背面側にカーテンにより囲まれた落書き空間１３が形成されている。
【００３４】
ところで、装置本体３の正面ほぼ中央に撮影手段であるＣＣＤデジタルカメラ（以下、単にカメラと称する）１５が設けられ、このカメラ１５により捉えられている画像をリアルタイムでモニタするためのＬＣＤ等から成る撮影モニタ１７が、装置本体３のカメラ１５の下方に設けられており、被写体である利用者はこのモニタ１７を見ながら撮影ポーズの選択を行うことができるようになっている。
【００３５】
尚、図１において、１８ａ，１８ｂはカメラ１５のズームアップ、ズームダウン用の操作ボタン、１８ｃはカメラ１５の撮影開始ボタンである。
【００３６】
また、図１に示すように、装置本体３の正面上部の左右をはじめ、カメラ１５の左右、モニタ１７の下方などの複数箇所には照明手段としての上部照明部１９ａ，１９ｂ、中央照明部２１ａ，２１ｂ、中央下部照明部２３、足元付近の下部照明部２５がそれぞれ配設され、これらの照明部１９ａ，１９ｂ，２１ａ，２１ｂ，２３，２５は、蛍光灯及びその駆動用インバータ回路等から成り、それぞれ鮮明な画像を撮影するために必要な露光量が確保されており、各照明部１９ａ，１９ｂ，２１ａ，２１ｂ，２３，２５のほか、撮影時に影をなくすために点滅駆動されるストロボ（図示せず）もカメラ１５の左右等に配設されている。ここで、照明部は図1に示す配置に限定されるものではなく、少なくともカメラ１５の周囲に配置されていればよい。
【００３７】
さらに、背景幕部５の左右や天面をはじめとする複数箇所にも蛍光灯を光源とする照明部２７が設けられている。また、背景幕部５には複数色の背景幕が選択設置可能に設けられ、撮影の際に利用者が自分の好みに合った背景色の幕を選べるようになっている。
【００３８】
ところで、装置本体３の背面側の落書き空間１３では、図２に示すように、表示手段である落書きパネル３１が装置本体３の背面ほぼ中央に配設されると共に、落書きパネル３１の両側には入力手段として２個のタッチペン３３が配設され、落書きパネル３１に利用者を被写体としてカメラ１５により撮影された被写体画像が表示され、タッチペン３３により、落書きパネル３１に表示される被写体画像に落書き用の文字や図形などの編集画像の落書き（書き込み）が行われる。
【００３９】
そして、スピーカ３５からの案内メッセージ等に従い、利用者が落書きパネル３１に表示される各種の操作画面とタッチペン３３とを用いて、落書きパネル３１に表示された被写体画像に対して所望の図形や文字等の編集画像を入力すると、図示しない編集手段により、編集画像が被写体画像に重畳されて編集され、編集された画像が装置本体３の内部に設けられた印刷手段であるプリンタ（図示せず）によりシール台紙供給手段から供給されるシール台紙に印刷され、装置本体３の右側面に設けられた排出口３７から排出される。但し、図２において、３９は装置本体３の背面側に設けられた落書き代金投入用の硬貨投入口であり、装置本体３の正面にも、図３，４に示すように遊戯代金投入用の硬貨投入口４０が設けられている。
【００４０】
尚、落書きパネル３１には、陰極線管式、液晶ディスプレイ、リアプロジェクション式を採用すればよく、その他にも種々の方式が考えられるが、いずれの方式を採用してもよい。また、落書きパネル３１はデジタイザによりタッチペン３３の操作位置が検出されるようになっており、デジタイザとしては、赤外線方式、容量結合方式など、種々の方式が考えられるが、本実施形態においては、可視光に対する透過性があり、タッチペン３３との組合せにより使用できるものであって、複数の入力を識別することができるものであればどのような方式のものであってもよい。
【００４１】
ところで、装置本体３の正面のモニタ１７の下方には把持可能な手摺り１５が固定して取り付けられ、利用者が撮影に先立って撮影ポーズをとるときに不安定な体勢になった場合に、利用者が手摺り４１を把持することで支えとして利用できるようになっている。この手摺り４１はカメラ１５の画角外に配置されると共に、装置本体３の正面の各照明部１９ａ，１９ｂ，２１ａ，２１ｂ，２３，２５による被写体の照明環境に悪影響を与えることのない位置に配置されている。尚、手摺り４１は中央下部照明部２３に近接して配置されているが、この中央下部照明部２３の光源である蛍光灯の発する光はあらゆる方向に発散されるため、手摺り４１が近接していても、カメラ１５の前方に立つ被写体に中央下部照明部２３の光による手摺り４１の影が生じることはなく、出来上がった写真に手摺り４１の陰が写ることもなく撮影の邪魔にならない。
【００４２】
そして、利用者が好みの撮影ポーズをとるときに不安定な体勢となっても、図３に示すように、手摺り４１を把持することにより撮影終了までその不安定な体勢を維持することができ、例えば利用者は、手摺り４１を把持することで上半身が斜めに傾斜した不自然であるが非常に興味深い撮影ポーズを容易にとることもできる。
【００４３】
また、図４に示すように、手摺り４１に肘を置くなどすることで、直立不動に近い固定的なポーズだけでなく非常にリラックスした撮影ポーズをとることもでき、変化に富んだ様々な撮影ポーズが可能になって利用者の満足度が高まる。
【００４４】
本実施形態における写真シール払出装置は上記した構成を有するため、利用者は、撮影空間１１において硬貨投入口４０に１回の遊戯代金分の硬貨を投入し、上記したように所望の撮影ポーズを決めてカメラ１５による撮影を行い、これを予め定められた所定の撮影回数分（或いは予め設定された撮影時間内で）繰り返して撮影を行う。
【００４５】
続いて、利用者は落書き空間１３に移動し、落書きパネル３１に表示される撮影済みの複数枚の被写体画像のうち落書き対象となるものを選定すると、選定された被写体画像が落書きパネル３１の所定領域に大きく表示され、表示された被写体画像に対し、１人若しくは２人以上の利用者がタッチペン３３により所定の編集画像の落書きを行い、印刷指令を与えることで、選定した被写体画像に編集画像が重畳描画された写真がシール台紙に印刷されて排出口３７に排出される。
【００４６】
従って、上記した第１実施形態によれば、把持可能な手摺り４１を備えているため、利用者は、この手摺り４１を掴むことによって不安定であっても所望の撮影ポーズを維持することができ、利用者は様々な撮影ポーズをとることが可能になって、利用者の満足度を高めることができる。
【００４７】
また、手摺り４１はカメラ１５の画角外に配置されると共に、装置本体３の正面の各照明部１９ａ，１９ｂ，２１ａ，２１ｂ，２３，２５による被写体の照明環境に悪影響を与えることのないように配置されていることから、出来上がった写真に手摺り４１の影が写り込むことがなく、利用者に対して常に良好な写真を提供することができる。
【００４８】
（第２実施形態）
この発明の第２実施形態について図５を参照して説明する。但し、図５は装置の斜視図である。尚、本実施形態において装置の基本的な構成は上記した第１実施形態とほぼ同じであるため、図５において図１〜４と同一もしくは相当するものついては同一符号を付して説明を省略することとし、以下では主として第１実施形態と相違する点について説明する。
【００４９】
本実施形態では、図５に示すように、手摺り４１の前方に、腰かけ・跨り可能なスタンド体５０が配置されている点が第１実施形態と大きく相違する。このスタンド体５０は、例えば金属製の逆Ｖ字状をなす棒状体の二股に分かれた下半部をほぼ９０゜折曲して成る支持部材５１と、この支持部材５１の上端部に架設されて成る左右方向の補強梁５２と、この支持部材５１の上端に端部が固着された前後方向（カメラ１５の遠近方向）に平行な支持バーの周囲に座り心地を良好にするためのラバー部材が巻装されて成るシート部材５３とにより構成されている。このスタンド体５０上部のシート部材５３は、手摺り４１よりもさらに下方位置にあってカメラ１５の画角外に配置されているため、撮影の際にスタンド体５０のシート部材５３が写り込んで撮影の邪魔になることがない。
【００５０】
そして、支持部材５１が床面に、または、支持部材５１の下後端あるいはシート部材５３内部の支持バーの後端が装置本体３にボルト等の締結具により連結され、利用者がスタンド体５０を使用中にスタンド体５０が動かないように固定されており、利用者は好みの撮影ポーズをとる際に、スタンド体５０のシート部材５３に腰かけたり跨ったり、或いは膝をついたりしても不安定な体勢を容易に維持することができる。
【００５１】
このように、手摺り４１に加えて腰かけ・跨り可能なスタンド体５０を利用することで、不安定な体勢を容易にかつしっかりと維持して様々な変化に富んだ撮影ポーズを選択することができる。
【００５２】
従って、上記した第２実施形態によれば、手摺り４１に加え、腰かけ・跨り可能なスタンド体５０を設けたため、利用者はスタンド体５０を利用することでより変化にとんだ撮影ポーズ、例えば手摺り４１につかまりながら、スタンド体５０のシート部材５３に腰かけたり跨ったり膝をついたりして様々な撮影ポーズをとることができ、立ち姿だけや手摺り４１だけの撮影ポーズと比べると予想もつかないような撮影ポーズをとりつつ撮影することができ、利用者の興趣をいっそう盛り上げることができる。
【００５３】
また、スタンド体５０上部のシート部材５３は手摺り４１よりもさらに下方位置に設置してスタンド体５０をカメラ１５の画角外に配置したため、スタンド体５０上部のシート部材５３が被写体画像に写り込むなど撮影の邪魔になることを防止できる。さらに、スタンド体５０のシート部材５３は手摺り４１よりもさらに下方位置にあるため、手摺り４１と同様、スタンド体５０が各照明部による照明環境に悪影響を与えることはない。
【００５４】
なお、上記した第２実施形態では、撮影ポーズの補助として、手摺り４１とスタンド体５０の両方を設けた場合について説明したが、本発明の第３実施形態として、図６に示すようにスタンド体５０のみを設けてもよい。
【００５５】
また、本発明は上記した各実施形態に限定されるものではなく、その趣旨を逸脱しない限りにおいて上述したもの以外に種々の変更を行うことが可能である。
【００５６】
上記した実施形態では、手摺り４１は装置本体３の正面ほぼ中央に固定されている場合について説明したが、手摺り４１の高さを利用者が調整できるように、手摺りを上下動可能でロック機構により調整後の位置に固定できるように支持するようにしても構わない。さらに、スタンド体５０についても、スタンド体５０のシート部材５３の高さ位置を調整できるにようにするのが望ましく、例えばシート部材５３内部の支持バーの支持部材５１に対する固定位置を上下方向に調整できるようにしたり、支持部材５１そのものを上下方向に伸縮自在に構成し、調整後の位置に固定できるようにすればよい。
【００５７】
また、手摺り４１の形状は図３，４に示すような棒状に限定されるものではなく、要するに利用者が把持できる形状であればよい。
【００５８】
さらに、装置本体３の正面に配置する照明部も、上記した実施形態に限定されるものではなく、例えばカメラ１５の周囲に蛍光灯、ストロボなどからなる照明部を配置してもよく、この場合、照明部は手摺り４１やスタンド体５０よりも高い位置にあるため、手摺り４１やスタンド体５０が照明部による照明環境に悪影響を与えることは全くない。
【００５９】
また、スタンド体５０の少なくともシート部材５３は前後方向又は／及び左右方向に位置を変更できるようにしてもよい。このとき、スタンド体５０の安定を保持するために、変更後の位置においてスタンド体５０ががたつかないように、スタンド体５０を変更後の位置で固定できるようにするのが望ましい。
【００６０】
さらに、スタンド体５０のシート部材５３は、図５，６に示す形状に限定されるものではなく、要するに腰かけ・跨り可能であればどのような形状であっても構わない。
【図面の簡単な説明】
【００６１】
【図１】本発明の第１実施形態における装置の正面図である。
【図２】本発明の第１実施形態における斜め後方から見た斜視図である。
【図３】本発明の第１実施形態における使用状態の説明用の斜視図である。
【図４】本発明の第１実施形態における使用状態の説明用の斜視図である。
【図５】本発明の第２実施形態における装置の斜視図である。
【図６】本発明の第３実施形態における装置の斜視図である。
【符号の説明】
【００６２】
１……  写真シール払出装置
３……  装置本体
１５…  ＣＣＤデジタルカメラ（撮影手段）
３１…  落書きパネル（表示手段）
３３…  タッチペン（入力手段）
３９，４０…  硬貨投入口
４１…  手摺り
５０…  スタンド体
５１…  支持部材
５３…  シート部材
【図１】
2006139242.tif 000003
【図２】
2006139242.tif 000004
【図３】
2006139242.tif 000005
【図４】
2006139242.tif 000006
【図５】
2006139242.tif 000007
【図６】
2006139242.tif 000008